(57)【要約】【課題】  外部機器がＧＵＩ画像信号を表示中でないときにＧＵＩに対する誤操作が行われた場合、ユーザにとって意図しない不利益な処理が実行されないようにする。【解決手段】  Ｄ−ＶＨＳデッキ１０では、ＤＴＶ４０との間で CONNECTコマンド及び CONNECT レスポンスの送受信を行うことによりＤＴＶがＤ−ＶＨＳデッキのＧＵＩ画像信号を表示中か否かを判断し、表示中でない場合にＧＵＩ操作を無効にする。【選択図】  図４
2005159520.tif 000002
【特許請求の範囲】
【請求項１】
ＧＵＩ画像信号を外部機器に送出する電子機器において、
前記電子機器の処理をＧＵＩで指示する操作手段と、
前記外部機器との間でコマンド及びレスポンスの送受信を行うことにより前記外部機器が前記ＧＵＩ画像信号を表示中か否かを判断し、表示中でない場合に前記操作手段のＧＵＩ操作を無効にする制御手段とを、
有することを特徴とする電子機器。
【発明の詳細な説明】
【技術分野】
【０００１】
本発明は、グラフィカル・ユーザ・インタフェース（以下ＧＵＩ）のための画像信号を、テレビなどの画像表示手段を有する外部の電子機器に送信してＧＵＩ画像を表示させることにより、画像表示手段を有していなくてもユーザがＧＵＩで操作可能な電子機器に関する。
【背景技術】
【０００２】
ＶＴＲなどのように画像表示手段を有さない電子機器では、ＧＵＩのための画像信号をテレビなどの画像表示手段を有する外部の電子機器に送信してＧＵＩ画像を表示させることにより、画像表示手段を有していなくてもユーザがＧＵＩで操作することが可能となる。
【０００３】
また、一般に、テレビなどの画像表示手段を有する電子機器は、複数の画像情報信号入力端子を有しており、画像表示手段に表示する画像情報入力信号を、ユーザがリモコン操作などにより各画像入力を任意に選択可能となっている。したがって、ユーザは画像表示手段を有さない電子機器をＧＵＩで操作する際は、画像表示手段を有する電子機器の画像表示手段にＧＵＩ画像が表示されるように画像表示手段を有する電子機器を操作しておかなければならない。
【０００４】
一方、下記の特許文献１には、ＩＥＥＥ１３９４バスで接続された各機器がオンスクリーンディスプレイ（以下、ＯＳＤ）を発生した場合、ＩＥＥＥ１３９４バスで接続された各機器が自動的に複数の各種ＡＶ／Ｃコマンドを実行することにより、ユーザが画像表示手段を有する電子機器の入力切替操作を行わなくても、発生したＯＳＤが適切に表示されるような技術が開示されている。
【特許文献１】特開平９−３２６８１４号公報（段落０００３）
【発明の開示】
【発明が解決しようとする課題】
【０００５】
しかしながら、画像表示手段を有さない電子機器からＧＵＩのための画像信号が、画像表示手段を有する電子機器に送信されていても、画像表示手段を有する電子機器の画像表示手段にＧＵＩのための画像信号が表示されるように入力切替操作が行われていなければＧＵＩ画像は表示されず、ユーザはＧＵＩ画像を見ることができないので、画像表示手段を有さない電子機器を適切に操作することは困難である。しかし、画像表示手段を有さない電子機器は、ＧＵＩ画像が表示されているか否かに関わらず、ユーザによってＧＵＩに対するリモコン操作などが行われれば、リモコン操作に基づき処理が実行される。したがって、ＧＵＩ画像が表示されていないときでも、ＧＵＩ画像に対するリモコンの誤操作が行われた場合、ユーザにとって意図しない不利益な処理が実行されてしまうことがある。
【０００６】
そこで、本発明は、画像表示手段を有さない電子機器のＧＵＩ画像が、画像表示手段を有する外部の電子機器の画像表示手段に表示されていないときにＧＵＩに対する誤操作が行われた場合に、ユーザにとって意図しない処理が実行されない電子機器を提供することを目的とする。
【課題を解決するための手段】
【０００７】
本発明は上記目的を達成するために、ＧＵＩ画像信号を外部機器に送出する電子機器において、
前記電子機器の処理をＧＵＩで指示する操作手段と、
前記外部機器との間でコマンド及びレスポンスの送受信を行うことにより前記外部機器が前記ＧＵＩ画像信号を表示中か否かを判断し、表示中でない場合に前記操作手段のＧＵＩ操作を無効にする制御手段とを、
有することを特徴とする。
【発明の効果】
【０００８】
本発明によれば、ＧＵＩ画像が、画像表示手段を有する外部の電子機器の画像表示手段に表示されていないときにＧＵＩに対する誤操作が行われた場合に、ユーザにとって意図しない処理が実行されることを防止できる。
【発明を実施するための最良の形態】
【０００９】
以下、図面を参照して本発明の実施の形態について説明する。図１は本発明に係る電子機器の一実施の形態としてＤ−ＶＨＳデッキ１０を示すブロック図である。Ｄ−ＶＨＳデッキ１０は、Ｄ−ＶＨＳデッキリモコン２０からのリモコン信号を受信する受信部１１と、動作制御部１２と、Ｄ−ＶＨＳテープ録画再生部１３と、ＧＵＩ画像信号生成部１４と、ＩＥＥＥ１３９４バス３０を介して外部機器に接続されるＩＥＥＥ１３９４・Ｉ／Ｆ部１５を少なくとも有している。
【００１０】
受信部１１は、Ｄ−ＶＨＳデッキ１０の遠隔制御を行うＤ−ＶＨＳリモコン２０からの制御信号を受信し、受信した制御信号を動作制御部１２に送信する。動作制御部１２は、受信部１１から受信した制御信号に基づき、必要であればＧＵＩ画像信号生成部１４が適切なＧＵＩ画像信号を生成するように制御する。また、動作制御部１２は、受信部１１から受信した制御信号に基づき、必要であればＤ−ＶＨＳテープ録画再生部１３を適切に制御する。また、動作制御部１２は、受信部１１から受信した制御信号に基づき、必要であれば１３９４ Trade Association（トレード・アソシエーション）規格によって規定されているCONNECT status command（以下、CONNECTコマンド）をＩＥＥＥ１３９４・Ｉ／Ｆ部１５に送信する。また、動作制御部１２は、ＩＥＥＥ１３９４・Ｉ／Ｆ部１５に接続された外部機器からのCONNECT status command response （以下、CONNECTレスポンス）を受信する。
【００１１】
ＩＥＥＥ１３９４・Ｉ／Ｆ部１５は、ＧＵＩ画像信号生成部１４で生成された画像信号をＩＥＥＥ１３９４アイソクロナス伝送によりＩＥＥＥ１３９４バス３０に送出し、また、動作制御部１２から受信した CONNECT コマンドをＩＥＥＥ１３９４バス３０に送出する。ＩＥＥＥ１３９４・Ｉ／Ｆ部１５はまた、ＩＥＥＥ１３９４バス３０から受信した CONNECTレスポンスを動作制御部１２に送信する。
【００１２】
次に、図２に示すように、図１に示したＤ−ＶＨＳデッキ１０と、外部機器としてデジタルテレビ（以下、ＤＴＶ）４０とがＩＥＥＥ１３９４バス３０を介して接続されている構成において、ユーザがＤ−ＶＨＳデッキ１０をＧＵＩにより操作する際の動作について説明する。
【００１３】
なお、ＤＴＶ４０は、図３に示したような構成となっているものとする。図３の Monitor Subunit（モニタサブユニット）４１、destination plug（行き先プラグ）(0)４２、Tuner Subunit（チューナサブユニット）４３、source plug（ソースプラグ）(0)４４、input plug（インプットプラグ）(O)４５、input plug(1)４６は１３９４ Trade Association 規格によって規定されているものである。スイッチ（ＳＷ）４７は、Monitor Subunit４１のdestination plug (O)４２と、Tuner Subunit４３のsource plug(O)４４あるいはinput plug(0)４５あるいはinput plug(1)４６の内のどれか１つを接続するスイッチであり、ユーザのＤＴＶ４０に対する操作によりユーザが任意に接続を変更できるものである。また、ＤＴＶ４０は、接続されているＩＥＥＥ１３９４バス３０からＩＥＥＥ１３９４アイソクロナス伝送による画像信号を受信し、 Monitor Subunit ４１に画像を表示可能なものとする。また、ＤＴＶ４０は、接続されているＩＥＥＥ１３９４バス３０から CONNECT コマンドを受信し、CONNECT レスポンスを送信可能なものとする。
【００１４】
以下、ユーザがＤ−ＶＨＳデッキ１０をＧＵＩにより操作する際の処理動作の流れを説明する。図４は、本発明の実施の形態におけるＤ−ＶＨＳデッキ１０とＤＴＶ４０の動作を示すシーケンス及びフローチャートである。まず、Ｄ−ＶＨＳデッキ１０とＤＴＶ４０がＩＥＥＥ１３９４バス３０で接続されると、Ｄ−ＶＨＳデッキ１０がＤＴＶ４０に対し、ＩＥＣ６１８８３の規定に基づきコネクションの確立を行う（ステップＳ１）。ここでは、ＤＴＶ４０のinput plug(0)４５とコネクションが確立したと仮定する。
【００１５】
次にユーザがＤＴＶ４０を操作し、Ｄ−ＶＨＳデッキ１０から送出される画像信号がＤＴＶ４０に表示されるように入力を切り替えた場合（ステップＳ２）、ＤＴＶ４０の内部状態はＳＷ４７がinput plug(0)４５とMonitor Subunit４１のdestination plug(0)４２を接続している状態となる。
【００１６】
次に、ユーザがＧＵＩが表示されるような操作をＤ−ＶＨＳデッキリモコン２０により行う（ステップＳ３）。ここでは、Ｄ−ＶＨＳデッキリモコン２０に「メニュー」ボタンがあり、ユーザが「メニュー」ボタンを押し、メニュー画面（ＧＵＩ）の表示要求が行われたと仮定する。次に、ＧＵＩが表示されるような操作が行われた場合、Ｄ−ＶＨＳデッキ１０はＤＴＶ４０に対し、Monitor Subunit４１のdestination plug(0)４２がＳＷ４７を介してどの端子と接続しているかを調べる CONNECT コマンドを送信する（ステップＳ４）。ＤＴＶ４０では、Ｄ−ＶＨＳデッキ１０から送信されたCONNECTコマンドを受信し、そのCONNECTコマンドに対応するCONNECTレスポンスをＤ−ＶＨＳデッキ１０に送信する（ステップＳ５）。
【００１７】
次に、Ｄ−ＶＨＳデッキ１０では、ＤＴＶ４０から送信されたCONNECTレスポンスを受信し、ＤＴＶ４０のMonitor Subunit４１の destination plug(0)４２と、ステップＳ１で確立したＤＴＶ４０のinput plug(0)４５が接続されているかをCONNECTレスポンスの内容より判定する（ステップＳ６）。ＤＴＶ４０のMonitor Subunit４１のdestination plug(0)４２とステップＳ１で確立したＤＴＶ４０のinput plug(0)４５が接続されていれば「ＧＵＩ表示中」としてステップＳ７に進む。他方、ステップＳ２での処理が行われておらず、ＤＴＶ４０のMonitor Subunit４１のdestination plug(0)４２とステップＳ１で確立したＤＴＶ４０の input plug(0)４５が接続されていなければ、「ＧＵＩ表示中」としてないとしてステップＳ７以降には進まず、ユーザがＤ−ＶＨＳデッキリモコン２０により各種ＧＵＩ操作を行っても、Ｄ−ＶＨＳデッキ１０は、無効な操作として何ら処理を実行しない（ステップＳ１２）。
【００１８】
ステップＳ７では、ステップＳ３でのユーザによる操作に対応したＧＵＩ画像信号を生成し、ＤＴＶ４０に送出する。次に、ＤＴＶ４０では受信したＧＵＩ画像信号を表示する（ステップＳ８）。ステップＳ３で「メニュー」ボタンが押されていれば、図５のようにカーソルが「録画予約」を指しているＧＵＩが表示されることになる。次に、ユーザはステップＳ８で表示されたＧＵＩを見ながら、Ｄ−ＶＨＳデッキリモコン２０により各種ＧＵＩ操作（上下左右キーによるＧＵＩ上のカーソルの移動や、決定キーによるＧＵＩ上のボタン押下など）を行う（ステップＳ９)。
【００１９】
次に、Ｄ−ＶＨＳデッキ１０は、ステップＳ９による操作に対応したＧＵＩ画像信号を生成し、ＤＴＶ４０に送出する（ステップＳ１０）。例えばステップＳ８において図５に示すＧＵＩがＤＴＶ４０に表示されており、ステップＳ９においてユーザがＤ−ＶＨＳデッキリモコン２０の押下キーを押下した場合は、図６のようにカーソルが「録画予約一覧」を指しているＧＵＩ画像信号をＤＴＶ４０に送出する。次に、ＤＴＶ４０では受信したＧＵＩ画像信号を表示する（ステップＳ１１）。以降、同様に、ユーザはＤＴＶ４０に表示されるＧＵＩ画像を見ながら、Ｄ−ＶＨＳデッキリモコン２０を操作し、Ｄ−ＶＨＳデッキ１０に対し所望の操作を行う（ステップＳ９〜ステップＳ１１の繰り返し）。
【図面の簡単な説明】
【００２０】
【図１】本発明に係る電子機器の一実施の形態としてＤ−ＶＨＳデッキを示すブロック図である。
【図２】図１のＤ−ＶＨＳデッキと外部機器としてＤＴＶをＩＥＥＥ１３９４バスで接続した構成図である。
【図３】図２のＤＴＶのブロック図である。
【図４】本発明の実施の形態における動作を示すシーケンス及びフローチャートである。
【図５】図１のＤ−ＶＨＳデッキが送出するＧＵＩ画像の一例を示す説明図である。
【図６】図１のＤ−ＶＨＳデッキが送出するＧＵＩ画像の他の例を示す説明図である。
【符号の説明】
【００２１】
１０  Ｄ−ＶＨＳデッキ
１１  受信部
１２  動作制御部
１３  Ｄ−ＶＨＳテープ録画再生部
１４  ＧＵＩ画像信号生成部
１５  ＩＥＥＥ１３９４・Ｉ／Ｆ部
２０  Ｄ−ＶＨＳデッキリモコン
３０  ＩＥＥＥ１３９４バス
４０  デジタルテレビ（ＤＴＶ）
４１  モニタサブユニット
４２  行き先プラグ(0)
４３  チューナサブユニット
４４  ソースプラグ(0)
４５  インプットプラグ(0)
４６  インプットプラグ(1)
４７  スイッチ（ＳＷ）
【図１】
2005159520.tif 000003
【図２】
2005159520.tif 000004
【図３】
2005159520.tif 000005
【図４】
2005159520.tif 000006
【図５】
2005159520.tif 000007
【図６】
2005159520.tif 000008